【手続補正書】
【提出日】平成21年8月24日(2009.8.24)
【手続補正１】
【補正対象書類名】特許請求の範囲
【補正対象項目名】全文
【補正方法】変更
【補正の内容】
【特許請求の範囲】
【請求項１】
少なくとも結着樹脂及び着色剤を含有する淡色シアントナーと少なくとも結着樹脂及び着色剤を含有する濃色シアントナーとを分別した状態で有するトナーキットであって、
赤−緑方向の色相をａ＊とし、黄−青方向の色相をｂ＊とし、明度をＬ＊とするＬ＊ａ＊ｂ＊系表色系によって普通紙上のトナー定着画像を表したとき、
前記淡色シアントナーは、淡色シアントナーの定着画像におけるｂ＊が−２０のときのａ＊の値（ａ＊C1）が−３０乃至−１９であり、ｂ＊が−３０のときのａ＊の値（ａ＊ C2）が−４５乃至−２９であり、
前記濃色シアントナーは、濃色シアントナーの定着画像におけるｂ＊が−２０のときのａ＊の値（ａ＊ C3）が−２９乃至−１９であり、ｂ＊が−３０のときのａ＊の値（ａ＊C4）が−４３乃至−２９であり、
且つａ＊C1≦ａ＊C３、及び、ａ＊C２≦ａ＊C４の関係を満足することを特徴とするト
ナーキット。
【請求項２】
前記ａ＊ C1とａ＊ C3との差（ａ＊ C1−ａ＊ C3）が−８乃至−１であり、前記ａ＊ C2とａ＊ C4との差（ａ＊ C2−ａ＊ C4）が−１２乃至−１であることを特徴とする請求項１に記載のトナーキット。
【請求項３】
前記ａ＊ C1とａ＊ C3との差（ａ＊ C1−ａ＊ C3）が−７乃至−１であり、前記ａ＊ C2とａ＊ C4との差（ａ＊ C2−ａ＊ C4）が−１０乃至−１であることを特徴とする請求項１に記載のトナーキット。
【請求項４】
前記ａ＊ C1が−２６乃至−１９であり、前記ａ＊ C2が−３９乃至−２９であり、前記ａ＊ C3が−２３乃至−１９であり、前記ａ＊ C4が−３５乃至−２９であることを特徴とする請求項１乃至３のいずれかに記載のトナーキット。
【請求項５】
前記淡色シアントナーは、下記式で表されるｃ＊が３０のときのＬ＊の値が８５乃至９０であり、前記濃色シアントナーは、ｃ＊が３０のときのＬ＊の値が７４乃至８４であることを特徴とする請求項１乃至４のいずれかに記載のトナーキット。
【数１】
2005173576.tif 000001
【請求項６】
前記淡色シアントナーは、色相角度（Ｈ＊ C1）が２１４乃至２２９°であり、前記濃
色シアントナーは、色相角度（Ｈ* C2）が２１６乃至２３７°であることを特徴とする請求項１乃至５のいずれかに記載のトナーキット。
【請求項７】
前記Ｈ＊ C1とＨ＊ C2との差（Ｈ＊ C2−Ｈ＊ C1）が０．１乃至２２°であることを特徴とする請求項６に記載のトナーキット。
【請求項８】
前記淡色シアントナーは、トナー全量に対し０．４乃至１．５質量％の着色剤を含有し、前記濃色シアントナーは、トナー全量に対し２．５乃至８．５質量％の着色剤を含有することを特徴とする請求項１乃至７のいずれかに記載のトナーキット。
【請求項９】
前記濃色シアントナーは、紙上のトナー量が１ｍｇ／ｃｍ２であるベタ画像の光学濃度が１．５乃至２．５であり、前記淡色シアントナーは、紙上のトナー量が１ｍｇ／ｃｍ２であるベタ画像の光学濃度が０．８２乃至１．３５であることを特徴とする請求項１乃至８のいずれかに記載のトナーキット。
【請求項１０】
前記淡色シアントナー及び前記濃色シアントナーは、それぞれ荷電制御剤を含有し、濃色シアントナーの荷電制御剤の含有量に対する淡色シアントナーの荷電制御剤の含有量の比が０．６０乃至０．９５であることを特徴とする請求項１乃至９のいずれかに記載のトナーキット。
【請求項１１】
前記濃色シアントナーの重量平均粒子径に対する前記淡色シアントナーの重量平均粒子径の比が１．０５乃至１．４０であることを特徴とする請求項１乃至１０のいずれかに記載のトナーキット。
【請求項１２】
前記淡色シアントナー及び前記濃色シアントナーは、チタニア、アルミナ、シリカ、及びそれらの複酸化物からなるグループから選ばれる無機微粉体をそれぞれ有し、前記濃色シアントナーの比表面積の値に対する淡色シアントナーの比表面積の値の比が０．６０乃至０．９５であることを特徴とする請求項１乃至１１のいずれかに記載のトナーキット。
【請求項１３】
前記淡色シアントナー及びキャリアを少なくとも含有する淡色二成分現像剤と、前記濃色シアントナー及びキャリアを少なくとも含有する濃色二成分現像剤とを有することを特徴とする請求項１乃至１２のいずれかに記載のトナーキット。
【請求項１４】
前記淡色シアントナーからなる淡色一成分現像剤と、前記濃色シアントナーからなる濃色一成分現像剤とを有することを特徴とする請求項１乃至１２のいずれかに記載のトナーキット。
【請求項１５】
少なくとも結着樹脂及び着色剤を含有し、赤−緑方向の色相をａ＊とし、黄−青方向の色相をｂ＊とし、明度をＬ＊とするＬ＊ａ＊ｂ＊系表色系によって普通紙上のトナー定着画像を表したとき、ｂ＊が−２０のときのａ＊の値（ａ＊ C3）が−２９乃至−１９であ
り、ｂ＊が−３０のときのａ＊の値（ａ＊C4）が−４３乃至−２９である濃色シアントナーと組み合わせて用いる淡色シアントナーであって、
該淡色シアントナーは、少なくとも結着樹脂及び着色剤を含有しており、Ｌ＊ａ＊ｂ＊
系表色系によって普通紙上のトナー定着画像を表したとき、ｂ＊が−２０のときのａ＊の値（ａ＊C1）が−３０乃至−１９であり、ｂ＊が−３０のときのａ＊の値（ａ＊ C2）が
−４５乃至−２９であり、
且つａ＊C1≦ａ＊C3、及び、ａ＊C2≦ａ＊C4の関係を満足することを特徴とする淡色シアントナー。
【請求項１６】
前記ａ＊ C1とａ＊ C3との差（ａ＊ C1−ａ＊ C3）が−８乃至−１であり、ａ＊ C2と
ａ＊ C4との差（ａ＊ C2−ａ＊ C4）が−１２乃至−１であることを特徴とする請求項１
５に記載の淡色シアントナー。
【請求項１７】
前記ａ＊ C1とａ＊ C3との差（ａ＊ C1−ａ＊ C3）が−７乃至−１であり、ａ＊ C2と
ａ＊ C4との差（ａ＊ C2−ａ＊ C4）が−１０乃至−１であることを特徴とする請求項１
５に記載の淡色シアントナー。
【請求項１８】
前記ａ＊ C1が−２６乃至−１９であり、前記ａ＊ C2が−３９乃至−２９であり、前記ａ＊ C3が−２３乃至−１９であり、ａ＊ C4が−３５乃至−２９であることを特徴とする請求項１５乃至１７のいずれかに記載の淡色シアントナー。
【請求項１９】
帯電している静電荷像担持体に静電荷像を形成する工程と、
形成された静電荷像をトナーで現像してトナー画像を形成する工程と、
形成されたトナー画像を転写材に転写する工程と、
転写されたトナー画像を転写材に定着して定着画像を形成する工程と、を含む画像形成方法であって、
前記静電荷像を形成する工程は、淡色シアントナーと濃色シアントナーとから選択される第一のトナーで現像される第一の静電荷像を形成する工程と、淡色シアントナーと濃色シアントナーとから選択される、第一のトナー以外の第二のトナーで現像される第二の静電荷像を形成する工程とを含み、
前記トナー画像を形成する工程は、第一の静電荷像を第一のトナーで現像して第一のシアントナー画像を形成する工程と、第二の静電荷像を第二のトナーで現像して第二のシアントナー画像を形成する工程とを含み、
前記転写する工程は、第一のシアントナー画像と第二のシアントナー画像とを転写材に転写して、これらのトナー画像が重ねられたシアントナー画像を転写材に形成する工程を含み、
前記淡色シアントナー及び前記濃色シアントナーは、少なくとも結着樹脂及び着色剤を含有し、赤−緑方向の色相をａ＊とし、黄−青方向の色相をｂ＊とし、明度をＬ＊とするＬ＊ａ＊ｂ＊系表色系によって普通紙上のトナー定着画像を表したとき、
前記淡色シアントナーは、淡色シアントナーの定着画像におけるｂ＊が−２０のときのａ＊の値（ａ＊ C1）が−３０乃至−１９であり、ｂ＊が−３０のときのａ＊の値（ａ＊ C2）が−４５乃至−２９であり、
前記濃色シアントナーは、濃色シアントナーの定着画像におけるｂ＊が−２０のときのａ＊の値（ａ＊ C3）が−２９乃至−１９であり、ｂ＊が−３０のときのａ＊の値（ａ＊C4）が−４３乃至−２９であり、
且つａ＊C1≦ａ＊C3、及び、ａ＊C2≦ａ＊C4の関係を満足することを特徴とする画像形成方法。
【請求項２０】
前記ａ＊ C1とａ＊ C3との差（ａ＊ C1−ａ＊ C3）が−８乃至−１であり、前記ａ＊ C2とａ＊ C4との差（ａ＊ C2−ａ＊ C4）が−１２乃至−１であることを特徴とする請求項１９に記載の画像形成方法。
【請求項２１】
前記ａ＊ C1とａ＊ C3との差（ａ＊ C1−ａ＊ C3）が−７乃至−１であり、前記ａ＊ C
2とａ＊ C4との差（ａ＊ C2−ａ＊ C4）が−１０乃至−１であることを特徴とする請求項１９に記載の画像形成方法。
【請求項２２】
前記ａ＊ C1が−２６乃至−１９であり、前記ａ＊ C2が−３９乃至−２９であり、前記ａ＊ C3が−２３乃至−１９であり、前記ａ＊ C4が−３５乃至−２９であることを特徴とする請求項１９乃至２１のいずれかに記載の画像形成方法。
【請求項２３】
前記淡色シアントナーは、下記式で表されるｃ＊が３０のときのＬ＊の値が８５乃至９０であり、前記濃色シアントナーは、ｃ＊が３０のときのＬ＊の値が７４乃至８４であることを特徴とする請求項１９乃至２２のいずれかに記載の画像形成方法。
【数２】
2005173576.tif 000002
【請求項２４】
前記淡色シアントナーは、色相角度（Ｈ＊ C1）が２１４乃至２２９°であり、前記濃
色シアントナーは、色相角度（Ｈ＊C2）が２１６乃至２３７°であることを特徴とする請求項１９乃至２３のいずれかに記載の画像形成方法。
【請求項２５】
前記Ｈ＊ C1とＨ＊ C2との差（Ｈ＊ C2−Ｈ＊ C1）が０．１乃至２２°であることを特徴とする請求項２４に記載の画像形成方法。
【請求項２６】
前記淡色シアントナーは、トナー全量に対し０．４乃至１．５質量％の着色剤を含有し、前記濃色シアントナーは、トナー全量に対し２．５乃至８．５質量％の着色剤を含有することを特徴とする請求項１９乃至２５のいずれかに記載の画像形成方法。
【請求項２７】
前記濃色シアントナーは、紙上のトナー量が１ｍｇ／ｃｍ２であるベタ画像の光学濃度が１．５乃至２．５であり、前記淡色シアントナーは、紙上のトナー量が１ｍｇ／ｃｍ２であるベタ画像の光学濃度が０．８２乃至１．３５であることを特徴とする請求項１９乃至２６のいずれかに記載の画像形成方法。
【請求項２８】
前記淡色シアントナー及び前記濃色シアントナーは、それぞれ荷電制御剤を含有し、濃色シアントナーの荷電制御剤の含有量に対する淡色シアントナーの荷電制御剤の含有量の比が０．６０乃至０．９５であることを特徴とする請求項１９乃至２７のいずれかに記載の画像形成方法。
【請求項２９】
前記濃色シアントナーの重量平均粒径に対する前記淡色シアントナーの重量平均粒径の比が１．０５乃至１．４０であることを特徴とする請求項１９乃至２８のいずれかに記載の画像形成方法。
【請求項３０】
前記淡色シアントナー及び前記濃色シアントナーは、チタニア、アルミナ、シリカ、及びそれらの複酸化物からなるグループから選ばれる無機微粉体をそれぞれ有し、前記無機微粉体の比表面積をＢＥＴ法により測定したときに、濃色シアントナーが含有する無機微粉体の比表面積の値に対する淡色シアントナーが含有する無機微粉体の比表面積の値の比が０．６０乃至０．９５であることを特徴とする請求項１９乃至２９のいずれかに記載の画像形成方法。
【請求項３１】
前記淡色シアントナー及びキャリアを少なくとも含有する淡色二成分現像剤と、前記濃色シアントナー及びキャリアを少なくとも含有する濃色二成分現像剤とを用いることを特徴とする請求項１９乃至３０のいずれかに記載の画像形成方法。
【請求項３２】
前記淡色シアントナーからなる淡色一成分現像剤と、前記濃色シアントナーからなる濃色一成分現像剤とを用いることを特徴とする請求項１９乃至３１のいずれかに記載の画像形成方法。
【請求項３３】
少なくとも結着樹脂及び着色剤を含有する淡色シアントナーと、少なくとも結着樹脂及び着色剤を含有する濃色シアントナーと、少なくとも結着樹脂及び着色剤を含有する淡色マゼンタトナーと、少なくとも結着樹脂及び着色剤を含有する濃色マゼンタトナーと、を分別した状態で有するトナーキットであって、
赤−緑方向の色相をａ＊とし、黄−青方向の色相をｂ＊とし、明度をＬ＊とするＬ＊ａ＊ｂ＊系表色系によって普通紙上のトナー定着画像を表したとき、
前記淡色シアントナーは、淡色シアントナーの定着画像におけるｂ＊が−２０のときのａ＊の値（ａ＊C1）が−３０乃至−１９であり、ｂ＊が−３０のときのａ＊の値（ａ＊ C2）が−４５乃至−２９であり、
前記濃色シアントナーは、濃色シアントナーの定着画像におけるｂ＊が−２０のときのａ＊の値（ａ＊C3）が−２９乃至−１９であり、ｂ＊が−３０のときのａ＊の値（ａ＊C4）が−４３乃至−２９であり、
且つａ＊C1≦ａ＊C3、及び、ａ＊C2≦ａ＊C4の関係を満足し、
前記淡色マゼンタトナーは、淡色マゼンタトナーの定着画像におけるａ＊が２０のときのｂ＊の値（ｂ＊M1）が−１８乃至０であり、ａ＊が３０のときのｂ＊の値（ｂ＊M2）が−２６乃至０であり、
前記濃色マゼンタトナーは、濃色マゼンタトナーの定着画像におけるａ＊が２０のときのｂ＊の値（ｂ＊M3）が−１６乃至２であり、ａ＊が３０のときのｂ＊の値（ｂ＊M4）が−２４乃至３であり、ｂ＊M1とｂ＊M3との差（ｂ＊M1−ｂ＊M3）が−８乃至−１であり、ｂ＊M2とｂ＊M4との差（ｂ＊M2−ｂ＊M4）が−１２乃至−１であることを特徴とするトナーキット。
【請求項３４】
帯電している静電荷像担持体に静電荷像を形成する工程と、
形成された静電荷像をトナーで現像してトナー画像を形成する工程と、
形成されたトナー画像を転写材に転写する工程と、
転写されたトナー画像を転写材に加熱加圧定着して定着画像を形成する工程と、を含む画像形成方法であって、
前記静電荷像を形成する工程は、淡色シアントナーと濃色シアントナーと淡色マゼンタトナーと濃色マゼンタトナーとからなるトナー群より選択される第一のトナーで現像される第一の静電荷像を形成する工程と、前記トナー群から選択される、第一のトナー以外の第二のトナーで現像される第二の静電荷像を形成する工程と、前記トナー群から選択される、第一及び第二のトナー以外の第三のトナーで現像される第三の静電荷像を形成する工程と、前記トナー群から選択される、第一乃至第三のトナー以外の第四のトナーで現像される第四の静電荷像を形成する工程と、を含み、
前記トナー画像を形成する工程は、第一の静電荷像を第一のトナーで現像して第一のトナー画像を形成する工程と、第二の静電荷像を第二のトナーで現像して第二のトナー画像を形成する工程と、第三の静電荷像を第三のトナーで現像して第三のトナー画像を形成する工程と、第四の静電荷像を第四のトナーで現像して第四のトナー画像を形成する工程とを含み、
前記転写する工程は、第一のトナー画像と第二のトナー画像と第三のトナー画像と第四のトナー画像とを転写材に転写して、これらのトナー画像が重ねられたカラートナー画像を転写材に形成する工程を含み、
前記淡色シアントナー、前記濃色シアントナー、前記淡色マゼンタトナー、及び前記濃色マゼンタトナーは、それぞれ少なくとも結着樹脂及び着色剤を含有し、赤−緑方向の色相をａ＊とし、黄−青方向の色相をｂ＊とし、明度をＬ＊とするＬ＊ａ＊ｂ＊系表色系によって普通紙上のトナー定着画像を表したとき、
前記淡色シアントナーは、淡色シアントナーの定着画像におけるｂ＊が−２０のときのａ＊の値（ａ＊C1）が−３０乃至−１９であり、ｂ＊が−３０のときのａ＊の値（ａ＊ C2）が−４５乃至−２９であり、
前記濃色シアントナーは、濃色シアントナーの定着画像におけるｂ＊が−２０のときのａ＊の値（ａ＊C3）が−２９乃至−１９であり、ｂ＊が−３０のときのａ＊の値（ａ＊C4）が−４３乃至−２９であり、
且つａ＊C1≦ａ＊C3、及び、ａ＊C2≦ａ＊C4の関係を満たし、
前記淡色マゼンタトナーは、淡色マゼンタトナーの定着画像におけるａ＊が２０のときのｂ＊の値（ｂ＊M1）が−１８乃至０であり、ａ＊が３０のときのｂ＊の値（ｂ＊M2）が−２６乃至０であり、
前記濃色マゼンタトナーは、濃色マゼンタトナーの定着画像におけるａ＊が２０のときのｂ＊の値（ｂ＊M3）が−１６乃至２であり、ａ＊が３０のときのｂ＊の値（ｂ＊M4）が−２４乃至３であり、ｂ＊M1とｂ＊M3との差（ｂ＊M1−ｂ＊M3）が−８乃至−１であり、ｂ＊M2とｂ＊M4との差（ｂ＊M2−ｂ＊M4）が−１２乃至−１であることを特徴とする画像形成方法。